(57)【要約】【課題】上げ底型の容器ホルダでありかつ操作性に優れるものを提供すること。【解決手段】容器ホルダに、収容空間１００を有するケース１と、丈の低い容器９２を支持するための回動式のサポート２とを設け、サポート２を操作するための操作部としてダイヤル式の操作ダイヤル３を設けるとともに操作ダイヤル３の操作端３０をケース１の開口周縁部に配置する。【選択図】図４
2015140057.tif 000002
【特許請求の範囲】
【請求項１】
上方に開口し収容空間を有するケースと、
前記ケースの底部よりも上方において前記収容空間に展開されるサポート使用位置と、前記収容空間の外部に退避するサポート待機位置と、の間を回動可能なサポートと、
前記ケースの開口周縁部に配置される操作端を一体に持ち、回転可能な操作ダイヤルと、
前記操作ダイヤルと前記サポートとを接続し、前記操作ダイヤルの回転運動を前記サポートに伝達して前記サポートを回動させるリンクと、
少なくとも前記サポートが前記サポート使用位置にあるときに、前記サポートよりも下方に配置されて前記サポートを支持する支持基部と、を備える容器ホルダ。
【請求項２】
前記サポート使用位置における前記サポートよりも上方において前記収容空間に展開される副サポート使用位置と、前記収容空間の外部に退避する副サポート待機位置と、の間を移動可能な副サポートと、
前記リンクに接続され、前記副サポートの展開動作の少なくとも一部を前記サポートの展開動作に同期させる副リンクと、を備える請求項１に記載の容器ホルダ。
【請求項３】
前記副サポートは、前記副サポート使用位置と前記副サポート待機位置との間を回動し、
前記副サポートを前記副サポート使用位置に付勢する副サポート付勢部材を備え、
前記副リンクは、前記リンクに枢支され、長孔を有し、
前記副サポートは、前記副サポートの回動軸と離間しかつ前記長孔にスライド可能に挿入されているリンクピンを持ち、
前記副リンクは、前記副サポート待機位置から、前記副サポート待機位置と前記副サポート使用位置との間の副サポート中間位置に至るまでの前記副サポートの展開動作を前記サポートの展開動作に同期させ、
前記副サポートは、前記サポートが前記サポート使用位置にあるときに、前記副サポート使用位置から前記副サポート待機位置に向けて回動可能である請求項２に記載の容器ホルダ。
【請求項４】
前記サポートを前記サポート使用位置と前記サポート待機位置との２つの位置にそれぞれ付勢可能なサポート付勢部材を備え、
前記サポート付勢部材の付勢力は前記副サポート付勢部材の付勢力よりも大きい請求項３に記載の容器ホルダ。
【請求項５】
前記支持基部は、前記収容空間に展開される基部使用位置と、前記収容空間の外部に退避する基部待機位置と、の間を移動可能であり、
前記支持基部を前記基部使用位置に付勢する基部付勢部材を備える請求項１〜請求項４の何れか一項に記載の容器ホルダ。
【請求項６】
前記リンクは、互いに噛合する奇数個のギヤを含み、前記サポートの回動方向と前記操作ダイヤルの回転方向とは一致している請求項１〜請求項５の何れか一項に記載の容器ホルダ。
【発明の詳細な説明】
【技術分野】
【０００１】
本発明は容器を保持するための容器ホルダに関する。
【背景技術】
【０００２】
飲料の容器には丈の低いものから丈の高いものまで種々の形状のものがある。例えば、丈の低い容器としては缶型の容器や小型の紙コップを挙げることができ、丈の高い容器としてはペットボトル型の容器や大型の紙コップを挙げることができる。
【０００３】
一般的な容器ホルダは、容器を収容するためのケースを備える。ケースには容器を収容するための収容空間が設けられている。丈の低い容器を収容するための浅い収容空間に丈の高い容器を収容する場合には、容器を低い位置でしか保持できないため、容器を安定に保持し難い問題がある。丈の高い容器を安定に収容保持するためには深い収容空間が必要であるが、その一方で、深い収容空間に丈の低い容器を収容すると、容器が下方に潜ってしまうため、容器を取出し難くなる問題がある。
【０００４】
このため近年では、容器の底面を収容空間の浅い位置と深い位置との上下二つの位置で保持可能な、上げ底型の容器ホルダが提案されている（例えば、特許文献１〜３）。具体的には、これらの容器ホルダはサポートを持ち、サポートは収容空間に展開可能でありかつ収容空間から退避可能である。サポートはケースの底部よりも上方に展開される。このため、サポートを収容空間に展開した場合には、サポートによって、丈の低い容器の底部を比較的浅い位置で支持できる。また、サポートを収容空間から退避させれば、ケースの底部によって、丈の高い容器の底部を比較的深い位置で支持できる。
【０００５】
しかし、特許文献１〜３に紹介されている容器ホルダにおいては、サポートを展開または退避動作させるために、ユーザーは、ケースの中に手を差し込んで直接サポートを操作する必要があった。したがって、この種の容器ホルダはユーザーに大きな動作を要求し、操作性に劣る問題があった。
【先行技術文献】
【特許文献】
【０００６】
【特許文献１】特開２００６−５６４６６号公報
【特許文献２】特開２０１０−８２３号公報
【特許文献３】特開２０１３−１５９２０９号公報
【発明の概要】
【発明が解決しようとする課題】
【０００７】
本発明は上記事情に鑑みてなされたものであり、上げ底型の容器ホルダであり、かつ、操作性に優れるものを提供することを目的とする。
【課題を解決するための手段】
【０００８】
上記課題を解決する本発明の容器ホルダは、
上方に開口し収容空間を有するケースと、
前記ケースの底部よりも上方において前記収容空間に展開されるサポート使用位置と、前記収容空間の外部に退避するサポート待機位置と、の間を回動可能なサポートと、
前記ケースの開口周縁部に配置される操作端を一体に持ち、回転可能な操作ダイヤルと、
前記操作ダイヤルと前記サポートとを接続し、前記操作ダイヤルの回転運動を前記サポートに伝達して前記サポートを回動させるリンクと、
少なくとも前記サポートが前記サポート使用位置にあるときに、前記サポートよりも下方に配置されて前記サポートを支持する支持基部と、を備えるものである。
【０００９】
本発明の容器ホルダは、下記の（１）〜（５）の何れかを備えるのが好ましく、複数を備えるのがより好ましい。
（１）前記サポート使用位置における前記サポートよりも上方において前記収容空間に展開される副サポート使用位置と、前記収容空間の外部に退避する副サポート待機位置と、の間を移動可能な副サポートと、
前記リンクに接続され、前記副サポートの展開動作の少なくとも一部を前記サポートの展開動作に同期させる副リンクと、を備える。
（２）前記副サポートは、前記副サポート使用位置と前記副サポート待機位置との間を回動し、
前記副サポートを前記副サポート使用位置に付勢する副サポート付勢部材を備え、
前記副リンクは、前記リンクに枢支され、長孔を有し、
前記副サポートは、前記副サポートの回動軸と離間しかつ前記長孔にスライド可能に挿入されているリンクピンを持ち、
前記副リンクは、前記副サポート待機位置から、前記副サポート待機位置と前記副サポート使用位置との間の副サポート中間位置に至るまでの前記副サポートの展開動作を前記サポートの展開動作に同期させ、
前記副サポートは、前記サポートが前記サポート使用位置にあるときに、前記副サポート使用位置から前記副サポート待機位置に向けて回動可能である。
（３）前記サポートを前記サポート使用位置と前記サポート待機位置との２つの位置にそれぞれ付勢可能なサポート付勢部材を備え、
前記サポート付勢部材の付勢力は前記副サポート付勢部材の付勢力よりも大きい。
（４）前記支持基部は、前記収容空間に展開される基部使用位置と、前記収容空間の外部に退避する基部待機位置と、の間を移動可能であり、
前記支持基部を前記基部使用位置に付勢する基部付勢部材を備える。
（５）前記リンクは、互いに噛合する奇数個のギヤを含み、前記サポートの回動方向と前記操作ダイヤルの回転方向とは一致している。
【発明の効果】
【００１０】
本発明の容器ホルダは、サポートを展開・退避操作するための操作ダイヤルを持つ。そして、操作ダイヤルの操作端はケースの開口周縁部に配置されている。このためサポートを動作させる際には、ケースの収容空間に手を差し込む必要はなく、ケースの開口周縁部に手を伸ばすだけで良い。したがって、本発明の容器ホルダにおけるサポートを操作するためには、大きな動作は必要はなく、小さな動作のみで足りる。つまり、本発明の容器ホルダは上げ底型であり、かつ、操作性に優れる。
【００１１】
さらに、サポート用の操作部材としてダイヤル式の操作ダイヤルを採用したことによっても、本発明の容器ホルダの操作性は向上する。つまり、車両用の内装部材の多くはダイヤル式の操作部材を持つため、本発明の容器ホルダを車両に搭載する場合には、本発明の容器ホルダの操作感が他の内装部材の操作感に統一され、容器ホルダを含めた内装部材全体の操作性が向上する。
【図面の簡単な説明】
【００１２】
【図１】実施例１の容器ホルダを模式的に表す斜視図である。
【図２】実施例１の容器ホルダの動作を模式的に表す説明図であり、容器ホルダが深底状態にあり、かつ、支持基部が基部使用位置にある様子を表す。
【図３】実施例１の容器ホルダの動作を模式的に表す説明図であり、容器ホルダが深底状態にあり、かつ、支持基部が基部待機位置にある様子を表す。
【図４】実施例１の容器ホルダの動作を模式的に表す説明図であり、容器ホルダが浅底状態にあり、かつ、副サポートが中間位置にある様子を表す。
【図５】実施例１の容器ホルダの動作を模式的に表す説明図であり、容器ホルダが浅底状態にあり、かつ、副サポートが副サポート使用位置にある様子を表す。
【図６】実施例１の容器ホルダの動作を模式的に表す説明図であり、図６は実施例１の容器ホルダが浅底状態にあり、かつ、副サポートが副サポート待機位置にある様子を表す。
【図７】実施例２の容器ホルダを上面から見た様子を模式的に表す上面図である。
【図８】実施例２の容器ホルダの動作を表す説明図である。
【発明を実施するための形態】
【００１３】
以下、具体例を挙げて本発明の容器ホルダを説明する。以下、必要に応じて、容器ホルダのサポートがサポート使用位置に配されている状態を容器ホルダの浅底状態と呼び、サポートがサポート待機位置に配されている状態を容器ホルダの深底状態と呼ぶ。
【００１４】
（実施例１）
実施例１の容器ホルダは、車両のコンソールボックスに配設されるドリンクホルダである。実施例１の容器ホルダを模式的に表す斜視図を図１に示す。実施例１の容器ホルダの動作を模式的に表す説明図を図２〜図６に示す。より詳しくは、図２は実施例１の容器ホルダが深底状態にあり、かつ、支持基部が基部使用位置にある様子を表す。図３は実施例１の容器ホルダが深底状態にあり、かつ、支持基部が基部待機位置にある様子を表す。図４は実施例１の容器ホルダが浅底状態にあり、かつ、副サポートが中間位置にある様子を表す。図５は実施例１の容器ホルダが浅底状態にあり、かつ、副サポートが副サポート使用位置にある様子を表す。図６は実施例１の容器ホルダが浅底状態にあり、かつ、副サポートが副サポート待機位置にある様子を表す。以下、実施例において上、下、左、右、前、後とは図１、図２に示す上、下、左、右、前、後を指す。
【００１５】
図１〜図６に示すように、実施例１の容器ホルダは、ケース１、サポート２、操作ダイヤル３、リンク４、サポート付勢部材２９、支持基部５、基部付勢部材５９、副サポート６、副リンク７および副サポート付勢部材７９を備える。
【００１６】
図１に示すように、ケース１は箱状をなし上方に開口する。ケース１の内部には収容空間１００および退避空間１０１が区画形成されている。収容空間１００は容器を収容保持するための空間である。図１に示すように、ケース１は上方に開口しているため、収容空間１００は上方でケース１の外部に連絡する。退避空間１０１は収容空間１００に連絡し、後述するように収容空間１００の外部に退避したサポート２を収容し得る。容器ホルダが副サポート６を持つ場合には、サポート２に加えて副サポート６を退避空間１０１に収容することもできる。収容空間１００は容器を収容および保持できれば良く、少なくともケース１の底部１１の一部、および、ケース１の側部１２の一部によって区画されていれば足る。つまり収容空間１００は上方でケース１の外部に連絡するだけでなく、側方および／または下方でケース１の外部に連絡しても良い。さらに換言すると、ケース１は容器を収容および保持できれば良いため、箱状に限らず枠状であっても足りる。
【００１７】
サポート２は略矩形の板状をなす。サポート２の左右端面における前端部分には、それぞれ、回動軸２０が設けられている。回動軸２０はケース１の左右側壁に枢支されている。サポート２は、この回動軸２０を中心として、図２に示すサポート待機位置と図６に示すサポート使用位置との間を回動可能である。図２に示すように、回動軸２０はケース１の底部１１よりも上方に位置する。このため、実施例１の容器ホルダにおけるサポート２は、常に底部１１よりも上方に位置する。そして図６に示すサポート使用位置では、サポート２は、底部１１よりも上方において収容空間１００に展開される。
【００１８】
図１、図２に示すように、操作ダイヤル３は、略円盤状をなし、ケース１の左側壁に軸支されている。操作ダイヤル３には、突起状をなす操作端３０と、長孔状をなすストッパ孔３１とが設けられている。図１に示すように、操作端３０はケース１における開口１５の周縁部（つまりケース１の開口周縁部）に配置されている。ストッパ孔３１は、操作ダイヤル３の回転軸３２を中心とする円弧状に延びている。ケース１の左側壁には凸状のストッパピン１６が突設されている。ストッパピン１６はストッパ孔３１に挿入され、操作ダイヤル３の回転に伴ってストッパ孔３１内を相対的にスライドする。ストッパピン１６とストッパ孔３１とは、操作ダイヤル３を所定の角度以上回転させないためのストッパとして機能する。つまり、ストッパ孔３１の二つの端部の何れかにストッパピン１６が当接すると、操作ダイヤル３はそれ以上回転できなくなる。
【００１９】
サポート付勢部材２９は、ターンオーバースプリングからなる。サポート付勢部材２９の一端はケース１の左側壁に枢支され、サポート付勢部材２９の他端は操作ダイヤル３に枢支されている。サポート付勢部材２９は、操作ダイヤル３を図２に示す待機操作位置と、図４に示す使用操作位置との二つの位置に向けて付勢可能である。図２に示すように、操作ダイヤル３が待機操作位置にあるときに、サポート２は収容空間１００の外部（つまり退避空間１０１）に退避し、サポート待機位置に配置される。また、図４に示すように、操作ダイヤル３が使用操作位置にあるときに、サポート２は収容空間１００に展開され、サポート使用位置に配置される。したがってサポート付勢部材２９は、操作ダイヤル３を介して、サポート使用位置とサポート待機位置との何れかにサポート２を付勢するとも言える。なお、サポート付勢部材２９はターンオーバースプリングからなるため、操作ダイヤル３を待機操作位置と使用操作位置との中間の位置（中立位置と呼ぶ）よりもやや使用操作位置側にまで回転させると、サポート付勢部材２９の付勢力によって、操作ダイヤル３は自動的に使用操作位置にまで回転する。また、操作ダイヤル３を中立位置よりもやや待機操作位置側にまで回転させると、サポート付勢部材２９の付勢力によって、操作ダイヤル３は自動的に待機操作位置にまで回転する。
【００２０】
図２に示すように、リンク４は、操作ダイヤル３に一体に設けられている入力側ギヤ４０、サポート２に一体に設けられている出力側ギヤ４２、および、入力側ギヤ４０および出力側ギヤ４２に噛合するダンパギヤ４１、の３つのギヤで構成されている。したがって、操作ダイヤル３の回転運動は、入力側ギヤ４０→ダンパギヤ４１→出力側ギヤ４２の順に伝達され、サポート２にも伝達される。つまりサポート２は操作ダイヤル３の回転に同期して回動する。なお、入力側ギヤ４０の回転軸４００は操作ダイヤル３の回転軸３２と同軸であり、出力側ギヤ４２の回転軸４２０はサポート２の回転軸２０と同軸である。
【００２１】
実施例１の容器ホルダは二つの支持基部５を持つ。各々の支持基部５は略同形の略柱状をなす。支持基部５はケース１の底部１１付近に枢支され、図２に示す基部使用位置と図３に示す基部待機位置と、の間を回動する。支持基部５は、基部使用位置において収容空間１００に展開され、基部待機位置において収容空間１００の外部（ケース１の底部１１付近に設けられている基部退避空間１０２）に退避する。
【００２２】
基部付勢部材５９は、巻きバネからなり、支持基部５の回動軸５０に装着されている。基部付勢部材５９の一端はケース１に固定され、基部付勢部材５９の他端は支持基部５に固定されている。基部付勢部材５９は、図２に示す基部使用位置に向けて支持基部５を付勢する。なお、ケース１には、基部使用位置において支持基部５と係止する基部ストッパ（図略）が設けられている。基部ストッパに支持基部５が係止することで、支持基部５は基部使用位置に保持される。
【００２３】
副サポート６は略板状をなす。図１に示すように、副サポート６はケース１の前側壁に枢支され、図５中実線で示す副サポート使用位置と、図６中実線で示す副サポート待機位置と、の間を回動する。図１に示すように、副サポート６の回動軸６０には、回動軸６０に対して直交する方向（つまり回動軸６０を中心とする円の径方向）に延びるシャフト６１が設けられている。シャフト６１には凸状のリンクピン６２が設けられている。リンクピン６２は回動軸６０と略平行に延びている。
【００２４】
副リンク７は桿状をなす。副リンク７の長手方向の一端（枢支端部７０と呼ぶ）は出力側ギヤ４２に枢支されている。出力側ギヤ４２は回転軸４２０とは異なる位置で副リンク７を枢支している。つまり、枢支端部７０は回転軸４２０の径方向外側に位置している。このため副リンク７は、出力側ギヤ４２の回転に伴って位置変化する。副リンク７の長手方向の他端には長孔７１が設けられている。この長孔７１にはリンクピン６２が挿入されている。リンクピン６２は長孔をスライド可能である。
【００２５】
副サポート付勢部材７９は、巻きバネからなり、副サポート６の回動軸６０に装着されている。副サポート付勢部材７９の一端は副サポート６に固定され、副サポート付勢部材７９の他端はケース１に固定されている。副サポート付勢部材７９は、副サポート６を図５中実線で示す副サポート使用位置に向けて付勢している。副サポート使用位置に迄回動した副サポート６は、ケース１に設けられている副サポートストッパ（図略）に係止する。このため副サポート６は副サポート使用位置に保持される。
【００２６】
以下、実施例１の容器ホルダの動作を説明する。
【００２７】
図２に示す深底状態において、サポート２は収容空間１００から退避し退避空間１０１に配置されている。したがって、このときサポート２はサポート待機位置に配置されている。副サポート６もまた収容空間１００から退避し、サポート２ともに退避空間１０１に配置されている。つまり、このとき副サポート６は副サポート待機位置に配置されている。サポート２および副サポート６が収容空間１００の外部つまり退避空間１０１に退避しているため、収容空間１００にはケース１の底部１１が露出している。したがってこのとき、図３に示すように、収容空間１００に丈の高い容器９０を差し込むことができる。
【００２８】
ところで、支持基部５は、基部付勢部材５９によって常に基部使用位置に向けて付勢されている。したがって、このとき収容空間１００には支持基部５が露出している。しかし、支持基部５における前端部にはテーパ面５５が設けられている。このため、図３に示すように、容器ホルダが深底状態にあるときに収容空間１００に丈の高い容器９０を収容すると、丈の高い容器９０の底部１１によってテーパ面５５を押圧された支持基部５は、図３中実線で示す基部待機位置に向けて回動する。したがって実施例１の容器ホルダは、丈の高い容器９０をケース１の底部１１で安定して支持できる。
【００２９】
さらに、支持基部５は、基部付勢部材５９によって収容空間１００に向けて付勢されているため、基部付勢部材５９の付勢力によって容器９０の側壁に圧接する。したがって、このとき容器ホルダはケース１の底部１１で容器９０の底部９１を支持するだけでなく、支持基部５によって容器の側部を支持する。このことによっても、実施例１の容器ホルダは丈の高い容器９０を安定して収容および保持できる。
【００３０】
実施例１の容器ホルダに丈の低い容器９２を収容する場合には、操作ダイヤル３を図２に示す待機操作位置から図４に示す使用操作位置に回転させる。図２に示す深底状態においては、サポート付勢部材２９の付勢力によって、サポート２がサポート待機位置に付勢されかつ操作ダイヤル３が待機操作位置に付勢されている。
【００３１】
容器ホルダを深底状態から浅底状態に状態変化させるためには、サポート付勢部材２９の付勢力に抗して、操作ダイヤル３の操作端３０に後方に向けた荷重を加える。つまり操作ダイヤル３を使用操作位置に向けて図２中時計回りに回転させる。操作ダイヤル３が図２中時計回りに回転すると、操作ダイヤル３の回転運動は入力側ギヤ４０およびダンパギヤ４１を介して出力側ギヤ４２に伝達される。入力側ギヤ４０は操作ダイヤル３と一体に時計回りに回転し、入力側ギヤ４０に噛合するダンパギヤ４１は反時計回りに回転する。したがってダンパギヤ４１に噛合する出力側ギヤ４２は、入力側ギヤ４０および操作ダイヤル３と同様に時計回りに回転する。すると、出力側ギヤ４２と一体に設けられているサポート２もまた、回動軸２０を中心に時計回りに回動して、収容空間１００に向けて展開される。このため、操作ダイヤル３が図２に示す待機操作位置から図４に示す使用操作位置にまで回転すると、サポート２は図２に示すサポート待機位置から図４に示すサポート使用位置にまで回動し、容器ホルダは浅底状態に状態変化する。したがって、このとき収容空間１００に展開されたサポート２によって、丈の低い容器９２の底部９３を支持できる。
【００３２】
図４に示すように、このとき支持基部５は基部付勢部材５９によって付勢され、基部使用位置に配置されている。基部使用位置において、支持基部５は、サポート使用位置におけるサポート２の下面に当接する。このため支持基部５は、サポート使用位置にあるサポート２を支持できる。したがって、容器９２の荷重によってサポート２にさらに時計回りの力が作用しても、サポート２はそれ以上回動せずサポート使用位置に配置されたままである。したがって、支持基部５は操作ダイヤル３およびサポート２をサポート使用位置に維持するためのロック部材としても機能すると言える。さらにこのとき、サポート付勢部材２９は僅かに圧縮したままであり、付勢力を放出しきっていない。このため、サポート付勢部材２９によってもサポート２はサポート使用位置にロックされる。さらに、上述したように、このときストッパ孔３１とストッパピン１６とによって操作ダイヤル３が使用操作位置にロックされ、サポート２は間接的にサポート使用位置にロックされる。これらの協働により、容器ホルダはサポート２によって容器９２を安定して支持できる。
【００３３】
さらに、このときサポート付勢部材２９は僅かに圧縮したままであり、サポート２はサポート付勢部材２９の付勢力によって支持基部５に圧接する。したがって、例えば走行時等に車両が振動した場合にも、支持基部５に対するサポート２のガタつきを抑制でき、騒音の発生を抑制できる。
【００３４】
またこのとき、出力側ギヤ４２に枢支されている副リンク７の枢支端部７０は、出力側ギヤ４２の時計回り方向の回転に伴って、上方に向けて移動する。このため副リンク７の長孔７１に挿入されているリンクピン６２は、長孔７１内をスライドしつつ上方に向けて押し上げられる。そしてリンクピン６２を一体に持つ副サポート６は、回動軸６０を中心として反時計回りに回動し、図２に示す副サポート待機位置から図５に示す副サポート使用位置に配置される。したがってこのとき副サポート６は収容空間１００に向けて展開される。
【００３５】
図４に示すように、丈の低い容器９２を支持しているときの副サポート６の展開量は、サポート使用位置におけるサポート２の展開量に比べて小さい。このためサポート２によって丈の低い容器９２の底部９３を支持しつつ、副サポート６によって丈の低い容器９２の側面を支持できる。なお、ここで言う副サポート６の展開量およびサポート２の展開量とは、前後方向に向けた収容空間１００への副サポート６およびサポート２の露出長さを意味する。副サポート６の展開量がサポート２の展開量よりも小さいため、容器９２の底部９３をサポート２によって支持しつつ容器の側面を副サポート６によって支持することができる。このため実施例１の容器ホルダは丈の低い容器９２をさらに安定して保持することができる。
【００３６】
ところで、実施例１の容器ホルダにおいて、副サポート６は、サポート付勢部材２９と副サポート付勢部材７９との２種の付勢部材によって付勢される。つまり副サポート６は、サポート付勢部材２９の付勢力によって、副サポート待機位置（図２）から副サポート待機位置と副サポート使用位置との間の位置（図４中実線で示す中間位置）にまで回動する。その後、副サポート付勢部材７９の付勢力によって、さらに図５中実線で示す副サポート使用位置にまで回動する。
【００３７】
換言すると、副サポート６は、副サポート待機位置から中間位置までの間をサポート２、リンク４および副リンク７と同期して回動し、中間位置から副サポート待機位置までの間をサポート２およびリンク４とは独立して回動する。副サポート付勢部材７９の付勢力はサポート付勢部材２９の付勢力よりも小さいため、副サポート付勢部材７９は、サポート付勢部材２９、サポート２、リンク４、副リンク７および副サポート６の動作には干渉しない。
【００３８】
さらに、図５に示すように、副リンク７はリンク４（より具体的には出力側ギヤ４２）に枢支され、枢支端部７０を中心としてリンク４に対して回動可能である。また、副サポート６のリンクピン６２は副リンク７の長孔７１に挿入され、長孔７１をスライド可能である。このため副サポート６は、容器ホルダが図４〜図６に示す浅底状態にあるとき（サポート２がサポート使用位置にあるとき）に、副サポート使用位置と副サポート待機位置との間を回動可能である。リンクピン６２が長孔７１をスライド可能であり、かつ、副リンク７がリンク４に対して回動可能であるために、副サポート６の回動に伴うリンクピン６２の移動を副リンク７によって吸収できる。したがって副サポート６の回動はリンク４にまで伝達されず、サポート２をサポート使用位置に配置したままにできる。このため、例えば小型でありかつ大径の容器を保持する場合等、サポート２をサポート使用位置に配置しかつ副サポート６を収容空間から退避させたい場合にも対応可能である。
【００３９】
なお、サポート２がサポート使用位置からサポート待機位置に回動する際には、先ず、待機操作位置から使用操作位置に向けた操作ダイヤル３の反時計回りの回転に伴って、サポート２が反時計回りに回動する。回動初期においては、出力側ギヤ４２に枢支されている副リンク７が下方に位置変化するものの、副サポート６は副サポート使用位置に配置されたままである。つまり、このとき副サポート６にはリンクピン６２を介して下方に向けた力が作用する。しかし、副サポート６は、副サポート付勢部材７９によって副サポート使用位置に向けて付勢されているため、リンクピン６２が副リンク７の長孔７１をスライドするだけで、副サポート６は副サポート使用位置に配置されたままである。つまりこのとき操作ダイヤル３およびサポート２の位置変化は副リンク７により吸収され、副サポート６は位置変化しない。
【００４０】
使用操作位置に向けた操作ダイヤル３の回転角度が大きくなり、サポート２の回動角度が大きくなると、リンクピン６２が長孔７１の上端部にまで到達する。すると、副リンク７は操作ダイヤル３およびサポート２の位置変化をこれ以上吸収できなくなる。したがって、このとき副サポート６のリンクピン６２には、副リンク７を介して下方への力が作用し、副サポート６は副サポート付勢部材７９の付勢力に抗して時計回りに回動する。
【００４１】
実施例１においては、副サポート６が中間位置に配置されるのと略同時に、サポート付勢部材２９が中立位置に配置される。そして、サポート付勢部材２９の付勢力により、操作ダイヤル３が待機操作位置に向けて付勢され、サポート２がサポート待機位置に向けて付勢される。したがって、サポート２は反時計回りにさらに回動し、サポート２に一体化されている出力側ギヤ４２もまた反時計回りにさらに回転する。そして、出力側ギヤ４２に枢支されている副リンク７はさらに下方に位置変化し、副サポート６のリンクピン６２には副リンク７を介して下方への更なる力が作用し、副サポート６は時計回りにさらに回動する。サポート２が副サポート６の可動領域にまで回動すると、副サポート６はサポート２に押圧される。そして副サポート６は、サポート２を介して、サポート付勢部材２９の付勢力によって副サポート待機位置にまで回動する。換言すると、サポート待機位置に回動するサポート２に押さえ込まれて、副サポート６は副サポート待機位置に回動する。上述したように、サポート付勢部材２９の付勢力は副サポート付勢部材７９の付勢力よりも大きいため、サポートがサポート待機位置にあるときには、副サポート６は副サポート待機位置に保持される。
【００４２】
実施例１の容器ホルダによると、以上のように、サポート２および副サポート６を設けたことで、丈の高い容器９０と丈の低い容器９２とをそれぞれ異なる深さで安定して保持できる。また、サポート２を操作するための操作ダイヤル３をダイヤル状にし、かつ、操作ダイヤル３の操作端３０をケース１の開口周縁部に配置したことで、従来の容器ホルダに比べてサポート２の操作性が大きく向上する。
【００４３】
実施例１の容器ホルダにおいて、リンク４は奇数個（３個）のギヤで構成されている。このため、操作ダイヤル３を前側から後側に向けて回転させると、サポート２が前側から後側に向けて回動する。つまり、実施例１の容器ホルダは、奇数個のギアを含むリンク４を備えることで、サポート２の回動方向と操作ダイヤル３の回転方向とを一致させ得る。したがって実施例１の容器ホルダは操作感に優れる。なお、実施例１の容器ホルダにおいてはリンク４は３つのギヤで構成されているが、リンク４の構造はこれに限らず、カム機構やラックアンドピニオン機構に代表される既知の種々のリンク機構を用いることができる。
【００４４】
また、実施例１の容器ホルダにおいては、サポート使用位置において、サポート２の略全体が収容空間１００に展開され、収容空間１００を上下２つの空間に区画する。したがって、このときサポート２は、丈の低い容器９２の底部９３に充分に大きな面積で接触し、丈の低い容器９２を安定して支持できる。しかし本発明の容器ホルダにおけるサポート２は、サポート使用位置において丈の低い容器９２の底部９３を支持できれば良く、その展開量は特に限定されない。つまり、サポート使用位置において、サポート２の一部のみが収容空間１００に突出し、収容空間１００の大部分は連続した一つの空間のままであっても良い。
【００４５】
また、実施例１の容器ホルダにおいては、副リンク７によって、副サポート待機位置から中間位置までの副サポート６の展開動作をサポート２の展開動作に同期させている。そして、副サポート６は、中間位置から副サポート使用位置までは、サポート２とは独立して展開動作している。しかし本発明の容器ホルダにおいては、副リンク７によって副サポート６の展開動作の全部をサポート２の展開動作に同期させても良い。この場合にも、副サポート６により丈の低い容器９２の側面を支持できる点では同じである。
【００４６】
（実施例２）
実施例２の容器ホルダは、副リンクを持たず、支持基部が固定され、副サポートが狭幅であり、かつ、サポートにスリットが設けられていること以外は、実施例１の容器ホルダと略同じものである。実施例２の容器ホルダを上面から見た様子を模式的に表す上面図を図７に示し、実施例２の容器ホルダの動作を表す説明図を図８に示す。
【００４７】
実施例２の容器ホルダは副リンク７を持たず、サポート２と副サポート６とは独立に動作する。サポート２は、実施例１の容器ホルダと同様に、操作ダイヤル３およびリンク４によってサポート使用位置（図８中二点鎖線で示す）とサポート待機位置（図８中実線で示す）との間を回動する。また、サポート２は、サポート付勢部材２９によってサポート使用位置とサポート待機位置とに付勢されている。
【００４８】
一方、副サポート６は、副サポート付勢部材７９の付勢力によって副サポート使用位置（図８中実線で示す）に付勢されている。つまり副サポート６は、サポート２がサポート使用位置にあるときにも、サポート待機位置にあるときにも、収容空間１００に展開されている。図７に示すように、サポート２にはスリット２９が設けられている。このスリット２９は副サポート６の外形に対応した大きさである。
【００４９】
実施例２の容器ホルダは、実施例１の容器ホルダと同様に、サポート２がサポート待機位置にあるときには、ケース１の底部１１によって丈の高い容器の底部を支持できる。また、サポート２がサポート使用位置にあるときには、サポート２によって丈の低い容器の底部を支持できる。また、副サポート６は常に副サポート使用位置に付勢されているため、サポート２がサポート使用位置にある場合にもサポート待機位置にある場合にも（丈の高い容器を保持する場合にも、丈の低い容器を保持する場合にも）、容器の側面を副サポート６で支持できる。なお、上述したように、サポート２には副サポート６の外形に対応するスリット２９が設けられている。このため、サポート２がサポート使用位置にあるときにも、副サポート６はスリット２９を通過して副サポート使用位置と副サポート待機位置（図８中二点鎖線で示す）との間を回動可能である。
【００５０】
なお、実施例１および実施例２の容器ホルダは副サポート６を持つが、本発明の容器ホルダは副サポート６を持たなくても良い。この場合にも、サポート２によって丈の低い容器の底部を支持でき、ケース１の底部１１によって丈の高い容器の底部を支持できる。したがってこの場合にも、実施例１および実施例２の容器ホルダと同様に、種々の形状の容器を安定して保持できる。
【産業上の利用可能性】
【００５１】
本発明の容器ホルダの用途は特に限定されず、様々な装置や備品等に配設できる。例えば、車両用内装部材として車両のコンソールボックス、インストルメントパネル等に配設しても良いし、或いは、備品用部材として劇場用の椅子や各種の家具、調度品に配設しても良い。
【符号の説明】
【００５２】
１：ケース                １１：ケースの底部            １００：収容空間
１５：開口                ２：サポート                  ３：操作ダイヤル
３０：操作端              ４：リンク                    ５：支持基部
５９：基部付勢部材        ６：副サポート                ６０：副サポートの回動軸
６２：リンクピン          ７：副リンク                  ７１：長孔
７９：副サポート付勢部材
【図１】
2015140057.tif 000003
【図２】
2015140057.tif 000004
【図３】
2015140057.tif 000005
【図４】
2015140057.tif 000006
【図５】
2015140057.tif 000007
【図６】
2015140057.tif 000008
【図７】
2015140057.tif 000009
【図８】
2015140057.tif 000010